(57)【要約】【課題】鏡筒ユニットを分解することなく１群レンズ保持体の取り外しができる撮像装置を提供することを目的とする。【解決手段】撮像素子を保持する保持部８と、保持部８に対して最望遠位置から最広角位置まで光軸方向に沿って繰り出し方向および繰り込み方向に進退する鏡筒部９と、鏡筒部９の被写体側に組み込まれ１群レンズを保持する１群レンズ保持体１０と、保持部８に対して光軸まわりに回動することで鏡筒部９を進退させる駆動環２１と、保持部８に取り付けられ駆動環２１の回動を最望遠位置および最広角位置で規制する回動規制部材２６とを有し、１群レンズ保持体１０は、回動規制部材２６を保持部８から取り外した状態で、駆動環２１を回動させることで最望遠位置よりも更に繰り出し方向に位置する鏡筒部９に対して被写体側から取り外し可能である。【選択図】図３
2012255887.tif 000002
【特許請求の範囲】
【請求項１】
撮像素子を保持する保持部と、
前記保持部に対して最望遠位置から最広角位置まで光軸方向に沿って繰り出し方向および繰り込み方向に進退する鏡筒部と、
前記鏡筒部の被写体側に組み込まれ１群レンズを保持する１群レンズ保持体と、
前記保持部に対して前記光軸まわりに回動することで前記鏡筒部を進退させる駆動環と、
前記保持部に取り付けられ前記駆動環の回動を前記最望遠位置および前記最広角位置で規制する回動規制部材と、を有する撮像装置であって、
前記１群レンズ保持体は、前記回動規制部材を前記保持部から取り外した状態で、前記駆動環を回動させることで前記最望遠位置よりも更に繰り出し方向に位置する前記鏡筒部に対して被写体側から取り外し可能であることを特徴とする撮像装置。
【請求項２】
前記鏡筒部と前記保持部とはカムによって相対的に進退され、
前記最望遠位置よりも更に繰り出し方向に位置する前記鏡筒部と前記保持部との間は、前記カムによって係合されていることを特徴とする請求項１に記載の撮像装置。
【請求項３】
前記回動規制部材は、前記保持部に前記被写体側の反対側である撮像面側から取り付けられることを特徴とする請求項１または２に記載の撮像装置。
【請求項４】
前記保持部の少なくとも一部を被覆するカバー部を有し、
前記回動規制部材は、前記カバー部を取り外すことによって前記保持部から取り外し可能であることを特徴とする請求項３に記載の撮像装置。
【請求項５】
前記駆動環を回動させるアクチュエータを有し、
前記アクチュエータの端子は、前記被写体側の反対側である撮像面側に位置することを特徴とする請求項１乃至４の何れか１項に記載の撮像装置。
【請求項６】
前記回動規制部材は、前記駆動環の回動位置を検知するフォトインタラプタであって、
前記フォトインタラプタが前記駆動環と当接することで、前記駆動環の回動を前記最望遠位置および前記最広角位置に規制することを特徴とする請求項１乃至５の何れか１項に記載の撮像装置。
【発明の詳細な説明】
【技術分野】
【０００１】
本発明は撮像装置に関し、特に光軸方向に進退するレンズ鏡筒を備える撮像装置に関する。
【背景技術】
【０００２】
レンズ鏡筒を備える撮像装置では、レンズ鏡筒が使用領域であるＳＩＮＫ位置（最広角側）からＴＥＬＥ位置（最望遠側）まで光軸方向に進退するように構成される。このような撮像装置では、組立を考慮して、組立位相がＳＩＮＫ位置から更に繰り込み側（超ＳＩＮＫ位置）あるいはＴＥＬＥ位置から更に繰り出し側（超ＴＥＬＥ位置）まで余裕を持った回転角度に設定される。また、撮像装置の使用状態では、その組立位相までレンズ鏡筒が回転しないようにストッパが設けられる。
【０００３】
例えば、特許文献１に開示されているレンズ鏡筒のストッパ構造では、レンズ鏡筒がＴＥＬＥ位置の回転角度よりも回転余裕以上に回転し、組立位相まで行かないように回転筒に対して回転を規制するストッパ部材を円周方向から組付けている。また、レンズ鏡筒がユニット状態でストッパ部材を取り外すと組立位相まで回転筒を回転でき、通常の複雑な分解工程を得ることなくレンズ鏡筒の根元の方から順番に部品を分解することが可能である。
【先行技術文献】
【特許文献】
【０００４】
【特許文献１】特開２００２−２７７７１７号公報
【発明の概要】
【発明が解決しようとする課題】
【０００５】
上述した特許文献１に開示されているストッパ構造では、レンズ鏡筒をユニット状態にして初めてストッパ部材が露出する構成であるため、撮像装置全体から分解を始めた場合にユニット状態までの分解工程は従来通り行わなければならず多大な時間を要していた。また、レンズを保護するためのバリアを有する一群鏡筒はメンテナンスをすることが多く、ユニット状態からであっても、一群鏡筒までを分解するのにかなりの時間を要していた。更に、一群鏡筒を取り出すまでに調整などの組立精度が必要な他のレンズ群も分解しなければならず、再び組立てたときに他のレンズ群の調整をする必要があった。
【０００６】
本発明は、上述したような問題点に鑑みてなされたものであり、鏡筒ユニットを分解することなく１群レンズ保持体の取り外しができる撮像装置を提供することを目的とする。
【課題を解決するための手段】
【０００７】
本発明は、撮像素子を保持する保持部と、前記保持部に対して最望遠位置から最広角位置まで光軸方向に沿って繰り出し方向および繰り込み方向に進退する鏡筒部と、前記鏡筒部の被写体側に組み込まれ１群レンズを保持する１群レンズ保持体と、前記保持部に対して前記光軸まわりに回動することで前記鏡筒部を進退させる駆動環と、前記保持部に取り付けられ前記駆動環の回動を前記最望遠位置および前記最広角位置で規制する回動規制部材と、を有する撮像装置であって、前記１群レンズ保持体は、前記回動規制部材を前記保持部から取り外した状態で、前記駆動環を回動させることで前記最望遠位置よりも更に繰り出し方向に位置する前記鏡筒部に対して被写体側から取り外し可能であることを特徴とする。
【発明の効果】
【０００８】
本発明によれば、鏡筒ユニットを分解することなく１群レンズ保持体を容易に取り外すことができ、メンテナンス性を向上させることができる。
【図面の簡単な説明】
【０００９】
【図１】本実施形態に係る撮像装置の外観斜視図である。
【図２】本実施形態に係る撮像装置の分解斜視図である。
【図３】本実施形態に係る鏡筒ユニットの分解斜視図である。
【図４】本実施形態に係る１群レンズ保持体の着脱を説明するための図である。
【図５】本実施形態に係る背面カバーユニットと表示部材とを取り外した状態の背面図である。
【図６】第１の実施形態に係る回動規制部材と駆動環の関係を示す図である。
【図７】第２の実施形態に係るフォトインタラプタと駆動環の関係を示す図である。
【発明を実施するための形態】
【００１０】
以下、本発明に係る実施形態について図面を参照して説明する。なお、各図では必要に応じて鏡筒ユニット１の繰り出し方向（被写体側）を矢印Ｆで示し、繰り込み方向（撮像面側）を矢印Ｒで示す。
（第１の実施形態）
第１の実施形態では、鏡筒ユニット１の回動を規制するために後述する回動規制部材を用いる場合について説明する。
図１は、本実施形態に係る撮像装置１００の外観斜視図であり、電源ＯＦＦ時のカメラ不使用状態を示している。図１に示すように、撮像装置１００は、鏡筒ユニット１を備えている。撮像装置１００では、電源をＯＮしてカメラ使用状態になると鏡筒ユニット１が繰り出してレンズを覆っているバリア１ａが開き撮影可能となる。
【００１１】
図２は、撮像装置１００をユニット毎に分解した状態を示す分解斜視図である。撮像装置１００は、上述した鏡筒ユニット１、電池を収容する電池収納ユニット２、鏡筒ユニット１の進退に連動してストロボの発光部３ａが開閉される発光ユニット３を有する。また、撮像装置１００は、上述した各ユニットを被覆し外観となるカバー部として、前面カバーユニット４、側面カバー５、背面カバーユニット６などを備えている。前面カバーユニット４には、レリーズボタン４ａ、ズームボタン４ｂ、電源ボタン４ｃなどのカメラ操作部を含んで構成される。背面カバーユニット６には、表示部の操作をする操作ボタン６ａ、撮像装置１００のモードを切り替えるモードダイヤル６ｂなどを含んで構成される。また、鏡筒ユニット１と背面カバーユニット６の間には、画像を表示する表示部材７が配設される。
【００１２】
上述した電池収納ユニット２、発光ユニット３および側面カバー５は、鏡筒ユニット１に対してビス止めなどによって締結されている。前面カバーユニット４には、上述したビス止めなどによって締結されたユニット全体が組み込まれて結合され、不図示のフレキシブルプリント基板によってユニット全体と接続される。更に、背面から表示部材７と背面カバーユニット６が組み込まれてフック締結およびビス止めなどによって結合され、図１のような撮像素子が組立てられる。
【００１３】
次に、鏡筒ユニット１の構成および動作について図３に示す分解斜視図を参照して説明する。
鏡筒ユニット１は、撮像素子を保持する保持部８、保持部８に対して繰り出し方向および繰り込み方向に進退する鏡筒部９、１群レンズ保持体としての１群レンズホルダ１０、駆動環２１などを有している。また、鏡筒ユニット１の光学系は、１群〜４群レンズとフォーカシングレンズである５群レンズから構成される。１群レンズは上述した１群レンズホルダ１０に保持され、２群レンズは２群レンズホルダ１１、３群レンズは３群レンズホルダ１２、４群レンズは４群レンズホルダ１３、フォーカシングレンズである５群レンズは５群レンズホルダ１４にそれぞれ保持される。
【００１４】
まず、鏡筒部９について説明する。鏡筒部９は、直進案内板１５、化粧環１７、カム環１８、直進環１９、移動カム環２０、２群レンズホルダ１１、３群レンズホルダ１２、４群レンズホルダ１３などを有する。直進案内板１５はフランジ部の外縁部に複数の突起１５ａが設けられる。突起１５ａが保持部８の一部を構成する固定カム環１６の内面に設けられた光軸方向へ延びる複数の溝１６ａにそれぞれ係合することにより、回動動作が規制され且つ光軸方向へ移動自在に支持される。直進案内板１５には、鏡筒ユニット１の外観部材となる化粧環１７の内面に形成された光軸方向へ延びる溝１７ａに係合し、化粧環１７を光軸方向へ移動可能に支持する案内棒１５ｂが設けられる。同様に、直進案内板１５には、カム環１８とバヨネット結合し一体的に進退する直進環１９の外面に形成された光軸方向へ延びる溝１９ａに係合し、直進環１９を光軸方向へ移動可能に支持する案内棒１５ｃが一体的に設けられる。このように、化粧環１７および直進環１９は直進案内板１５によって光軸方向へ移動自在に構成される。
【００１５】
移動カム環２０の外面部には角度等分の３箇所にカムフォロワー２０ａが設けられる。カムフォロワー２０ａは固定カム環１６の内面に設けられた同形状の３本のカム１６ｂにそれぞれカム係合する。移動カム環２０の回動に伴いカムフォロワー２０ａはカム１６ｂの軌跡に沿って係合位置が移動し、これにより移動カム環２０は回動しながら光軸方向に進退することができる。すなわち、移動カム環２０と固定カム環１６とは相対的に光軸方向に進退する。更に、移動カム環２０の内面後端部に設けられたフランジ２０ｂに、直進案内板１５のフック１５ｄが係合することにより、直進案内板１５は移動カム環２０に対して回動自在に構成される。したがって、移動カム環２０の光軸方向への変位にともない、直進案内板１５も共に光軸方向へ変位することができる。
【００１６】
カム環１８は、化粧環１７を介して移動カム環２０の内側に配置される。移動カム環２０の内面には光軸方向へ延びる図示しない溝が角度等分の２箇所に形成され、各溝にカム環１８の駆動ピン１８ｅに係合するように構成される。したがって、移動カム環２０の回動が溝と駆動ピン１８ｅを介してカム環１８へと伝達される。
化粧環１７は内面に光軸中心方向に向けて延びる複数の図示しない突起が設けられる。これらの突起がカム環１８の外面に設けられた円周方向へ延びる溝１８ｃにそれぞれバヨネット結合することにより、カム環１８は化粧環１７に対して光軸中心に回動可能で且つ光軸方向へ一体的に移動可能に構成される。
【００１７】
直進環１９には、外面の光軸方向中央に円周方向の長さが異なる複数の突起部１９ｂが設けられる。この突起部１９ｂがカム環１８の内面に設けられた円周方向へ延びる溝１８ｄにそれぞれバヨネット結合することにより、カム環１８は直進環１９に対して光軸中心に回動可能で且つ光軸方向へ一体的に移動可能に構成される。
上述したように、化粧環１７と直進環１９は、直進案内板１５の案内棒１５ｂと１５ｃによって回動規制されているため、移動カム環２０の回動が伝達することでカム環１８はこれら２つの化粧環１７と直進環１９に対して光軸中心に回動可能である。
【００１８】
化粧環１７の外面に角度等分の３箇所に設けられた化粧環カムフォロワー１７ｂは移動カム環２０の内面に設けられた同形状の３本の化粧環カム２０ｃにそれぞれカム係合する。移動カム環２０の回動に伴い化粧環カムフォロワー１７ｂは化粧環カム２０ｃの軌跡に沿って係合位置が移動する。また、上述のように化粧環１７は直進案内板１５によって光軸方向へ移動するように案内されているので、化粧環１７は移動カム環２０の回動に伴い化粧環カム２０ｃの光軸方向への変位量に合わせて変位する。
【００１９】
３群レンズホルダ１２の外面に角度等分の３箇所に設けられた３群カムフォロワー１２ａは移動カム環２０の内面に設けられた同形状の３本の３群カム２０ｄにそれぞれカム係合する。移動カム環２０の回動に伴い３群カムフォロワー１２ａは３群カム２０ｄの軌跡に沿って係合位置が移動する。また、３群レンズホルダ１２の図示しない突起が直進環１９の内面に形成された光軸方向へ延びる溝１９ｃに係合することで光軸方向へ移動するよう案内されている。したがって、３群レンズホルダ１２は移動カム環２０の回動に伴い３群カム２０ｄの光軸方向への変位量に合わせて変位する。
【００２０】
４群レンズホルダ１３の外面に角度等分の３箇所に設けられた４群カムフォロワー１３ａは移動カム環２０の内面に設けられた同形状の３本の３群カム２０ｅにそれぞれカム係合する。移動カム環２０の回動に伴い４群カムフォロワー１３ａは４群カム２０ｅの軌跡に沿って係合位置が移動する。また、４群レンズホルダ１３の図示しない突起が３群レンズホルダ１２の内面に形成された光軸方向へ延びる図示しない溝に係合することで光軸方向へ移動するよう案内されている。したがって、４群レンズホルダ１３は移動カム環２０の回動に伴い４群カム２０ｅの光軸方向への変位量に合わせて変位する。
【００２１】
１群レンズホルダ１０は、鏡筒部９の被写体側に組み込まれる。具体的には、１群レンズホルダ１０の外面に角度等分の６箇所に設けられた１群カムフォロワー１０ａはカム環１８の外面に設けられた同形状の６本の１群カム１８ａにそれぞれカム係合する。カム環１８の回動に伴い１群カムフォロワー１０ａは１群カム１８ａの軌跡に沿って係合位置が移動する。また、直進環１９の外面部に角度等分の３箇所に設けられた突起部１９ｄが１群レンズホルダ１０の内面に形成された光軸方向へ延びる溝に係合することで光軸方向へ移動するよう案内されている。したがって、１群レンズホルダ１０はカム環１８の回動に伴い１群カム１８ａの光軸方向への変位量に合わせて変位する。
【００２２】
２群レンズホルダ１１の外面に角度等分の３箇所に設けられた２群カムフォロワー１１ａはカム環１８の内面に設けられた同形状の３本の２群カム１８ｂにそれぞれカム係合する。カム環１８の回動に伴い２群カムフォロワー１１ａは２群カム１８ｂの軌跡に沿って係合位置が移動する。また、直進環１９の内面に設けられた光軸方向へ延びる溝１９ｅが２群カムフォロワー１１ａの外周と係合することで２群レンズホルダ１１は光軸方向へ移動するよう案内されている。したがって、２群レンズホルダ１１はカム環１８の回動に伴い２群カム１８ｂの光軸方向への変位量に合わせて変位する。
【００２３】
移動カム環２０の外面に角度等分の３箇所に設けられた駆動ピン２０ｆは固定カム環１６の内面から外面に貫通するカム穴１６ｃを貫通して固定カム環１６の外面から突出する。カム１６ｂとカム穴１６ｃの軌跡は同形状であり、移動カム環２０の固定カム環１６に対する回動繰り出し移動に対して駆動ピン２０ｆはカム穴１６ｂの軌跡に沿って突出した状態を維持する。
【００２４】
駆動環２１は、固定カム環１６の外面に嵌合して回動自在に支持される。駆動環２１の内面には光軸方向へ延びる溝２１ａが角度等分の３箇所に形成されている。各溝２１ａには移動カム環２０の駆動ピン２０ｆが係合するよう構成されているので、駆動環２１の回動が溝２１ａと駆動ピン２０ｆを介して移動カム環２０へと伝達される。
【００２５】
このように１群レンズホルダ１０、２群レンズホルダ１１、３群レンズホルダ１２、４群レンズホルダ１３、直進案内板１５、固定カム環１６、化粧環１７、カム環１８、直進環１９、移動カム環２０および駆動環２１は一体となり、それぞれが連携して動作する。一体となった各部品は、図示しない撮像素子を保持する撮像素子ホルダ２３に固定カム環１６を介して結合される。また、固定カム環１６のフランジ部１６ｄには鏡筒ベース２２が固定され、一体となった各部品が鏡筒ベース２２の内側に配置される。
【００２６】
また、撮像素子ホルダ２３には駆動環２１の回動を規制する回動規制部材２６が、被写体側の反対側である撮像面側からビス２７を用いて固定される。回動規制部材２６の先端は固定カム環１６のフランジ部１６ｄに施された貫通穴を通過してフランジ部１６ｄよりも被写体側に突出した状態で固定される。固定カム環１６の外周を回動する駆動環２１は、回動規制部材２６に当接することでその回動が規制され、鏡筒部９の繰り出し方向および繰り込み方向の進退が規制される。
【００２７】
鏡筒部９を駆動する駆動源としてのアクチュエータは、電力を動力へと変換する電磁モータ２４が用いられる。図５は、撮像装置１００を表示部材７および背面カバーユニット６を取り外した状態を撮像面側から見た図である。図５に示すように、電磁モータ２４の端子２４ａは撮像面側に位置し、露出している。
また、電磁モータ２４の動力は、図３に示すように電磁モータ２４の出力軸に近接するギア列２５を介して駆動環２１の外面に設けられた駆動環ギア２１ｂに伝達される。したがって、撮像装置１００本体からの端子２４ａを介した電磁モータ２４への通電に応じて駆動環２１が回動し、鏡筒部９および１群レンズホルダ１０を光軸方向に進退させることが可能となる。
【００２８】
次に、鏡筒ユニット１の組立方法について図３を参照して詳細に説明する。なお、撮像装置１００において最も広角で撮影をする場合には、鏡筒部９が光軸に沿って繰り込み方向に縮み、最広角位置（沈胴位置）まで移動する。一方、最も望遠で撮影をする場合には、鏡筒部９が光軸に沿って繰り出し方向に延び、最望遠位置（ＴＥＬＥ位置）まで移動する。
【００２９】
まず、直進環１９の突起部１９ｂをカム環１８の溝１８ｄにバヨネット結合させるために、突起部１９ｂをカム環１８の導入部１８ｆに合わせながら直進環１９をカム環１８に組み込む。次に、直進環１９とカム環１８とを最広角位置よりも更に繰り込み方向に回動させた位置（以後、超広角位置という）で、２群レンズホルダ１１を撮像面側からカム環１８の２群カム１８ｂの導入部に合わせて組み込む。
【００３０】
また、直進環１９に対してカム環１８を回動させて最望遠位置よりも更に繰り出し方向に回動させた位置（以後、超望遠位置という）で、１群レンズホルダ１０を被写体側からカム環１８の１群カム１８ａの導入部に合わせて組み込む。なお、１群レンズホルダ１０は後述するように鏡筒部９が組立られた状態から組み込むことができるため、必ずしもこの段階で組み込む必要はない。
【００３１】
次に、１群レンズホルダ１０と２群レンズホルダ１１が組み込まれたカム環１８を再度超広角位置にして、化粧環１７の光軸方向に延びる突起をカム環１８の溝１８ｃに導く導入部に合わせ、化粧環１７をカム環１８に対して被写体側から組み込む。これらの部品が組み込まれた化粧環１７と３群レンズホルダ１２と４群レンズホルダ１３をそれぞれ化粧環カムフォロワー１７ｂと３群カムフォロワー１２ａと４群カムフォロワー１３ａの位相を合わせて移動カム環２０の撮像面側から同時に組み込む。これら３つの部品のカムフォロワーは同じ位相から組み込み可能になっている。したがって、化粧環カムフォロワー１７ｂと３群カムフォロワー１２ａと４群カムフォロワー１３ａはそれぞれ移動カム環２０の化粧環カム２０ｃと３群カム２０ｄと４群カム２０ｅの超広角位置まで入り込む。
【００３２】
この状態で直進案内板１５の案内棒１５ｂと案内棒１５ｃとをそれぞれ化粧環１７の溝１７ａと直進環１９の溝１９ａに合わせて移動カム環２０に対し撮像面方向から組み込む。このとき、直進案内板１５のフック１５ｄは、ちょうど移動カム環２０のバヨネット溝２０ｂへの導入部から入り込む。直進案内板１５が組み込まれた移動カム環２０を固定カム環１６の溝１６ａ、カム１６ｂ、カム穴１６ｃにそれぞれ直進案内板１５の突起１５ａ、移動カム環２０のカムフォロワー２０ａ、駆動ピン２０ｆを合わせて固定カム環１６の撮像面側から組み込む。更に、駆動環２１を固定カム環１６のカム穴１６ｃから突出した移動カム環２０の駆動ピン２０ｆと駆動環２１の溝２１ａが係合するように移動カム環２０に対して被写体側から組み込む。
【００３３】
これらの部品が組み込まれた固定カム環１６の被写体側から鏡筒ベース２２、撮像面側から５群レンズホルダ１４をスクリューで結合済の撮像素子ホルダ２３を組み込んでビス締結する。その後、駆動環２１を超広角位置から繰り出し方向に少し回動させ広角位置にする。ここで、回動規制部材２６を撮像素子ホルダ２３の撮像面側から組み込んでビス２７で締結することで鏡筒ユニット１の組立が完了する。
【００３４】
次に、組立のはじめに１群レンズホルダ１０をカム環１８に組み込まない場合について、図４を参照して説明する。この場合、保持部８および鏡筒部９が組立られている状態では、図４に示すようにビス２７を取り外し、回動規制部材２６を取り外す。すると、鏡筒部９の各部品は望遠位置から更に、超望遠位置まで繰り出すことができる。鏡筒部９の各部品が超望遠位置まで繰り出した状態では、カム環１８のカム１８ａの導入部が現れて、１群レンズホルダ１０を被写体側から組み込むことができる。このとき、１群レンズホルダ１０以外の２群レンズホルダ１１〜４群レンズホルダ１３は、上述したように全て超広角位置からの組み込みであるため、超望遠位置の状態にしても各部品がカムから脱落することはない。すなわち、保持部８および鏡筒部９を超望遠位置まで繰り出した状態では、各部品がカムによって係合されたままである。
【００３５】
このように、回動規制部材２６を撮像素子ホルダ２３から取り外すだけで鏡筒部９を超望遠位置まで回動させることができるので、後から１群レンズホルダ１０を鏡筒部９に組み込むことができる。逆に言えば、完成された鏡筒ユニット１から回動規制部材２６を取り外すだけで１群レンズホルダ１０だけを取り外すことが可能である。図５に示すように、背面カバーユニット６と表示部材７とを順に取り外した状態では、回動規制部材２６、締結用のビス２７および電磁モータ２４の端子２４ａが露出している。したがって、回動規制部材２６を取り外した上、ギア連結された電磁モータ２４の端子２４ａに通電させることで駆動環２１を回動させることができ、保持部８、鏡筒部９および１群レンズホルダ１０を超望遠位置まで繰り出すことができる。このように、鏡筒ユニット１を超望遠位置まで繰り出させることで、上述したように１群レンズホルダ１０を鏡筒部９から取り外すことが可能となる。
【００３６】
なお、本実施形態では、電磁モータ２４の端子２４ａが撮像素子の背面から直接通電可能な位置に配置されているが、フレキシブル基板とのコネクタ接続あるいは半田接続を外した状態で端子に通電可能であれば異なる方向に配置しても良い。ただし、電磁モータ２４は鏡筒ユニット１内でギア連結され既に組み込まれている状態なので、電磁モータ２４の端子２４ａに直接通電できないと鏡筒ユニット１を駆動させることができない。
【００３７】
駆動環２１と回動規制部材２６との関係を図６を参照して説明する。図６は、説明を簡略化させるために、駆動環２１、固定カム環１６、撮像素子ホルダ２３、回動規制部材２６およびビス２７のみを図示し、他の部品を省略している。図６（ａ）は被写体側から見た斜視図であり、図６（ｂ）は撮像面側から見た斜視図である。図６（ａ）および図６（ｂ）は、鏡筒ユニット１が望遠位置を超えて更に繰り出し方向に回動した状態を示している。
【００３８】
図６（ａ）および図６（ｂ）に示す状態では、駆動環２１の係止部２１ｃと回動規制部材２６の端部２６ａが当接しているため駆動環２１はこれ以上繰り出し方向に回動することができない。この規制位置と、望遠位置と、組み込みに使用する超望遠位置との繰り出し方向への回動角の関係は、望遠位置＜規制位置＜超望遠位置となっている。すなわち、鏡筒ユニット１は望遠位置を超えて規制位置までは回動できるが超望遠位置までの回動は規制される。したがって、撮像装置１００の使用状態において、意図せず超望遠位置まで回動させてしまい、１群レンズホルダ１０がカム環１８のカム１８ａから脱落してしまうおそれがない。なお、図６（ｂ）に示すビス２７を取り外し回動規制部材２６を取り外すことで、駆動環２１の係止部２１ｃが回動規制部材２６に係止しなくなるため、超望遠位置まで回動することが可能となる。
【００３９】
広角位置における回動規制も同様であって、鏡筒ユニット１が広角位置を超えて更に繰り込み方向に回動すると駆動環２１の係止部２１ｃの他端に形成された図示しない係止部が回動規制部材２６の端部２６ｂに当接する。したがって、駆動環２１はこれ以上繰り込み方向に回動することができない。この規制位置と、広角位置と、組み込みに使用する超広角位置との繰り込み方向への回動角の関係は、広角位置＜規制位置＜超広角位置となっている。すなわち、鏡筒ユニット１は広角位置を超えて規制位置までは回動できるが超広角位置までの回動は規制される。ここで、図６（ｂ）のビス２７を外して回動規制部材２６を取り外した場合、駆動環２１の係止部を係止するものがなくなるため超広角位置まで回動することが可能となる。ただし、撮像素子ホルダ２３が光軸方向の規制部材となることで組み込まれた部品が撮像面側に突出することはない。
【００４０】
このように、本実施形態によれば、１群レンズホルダ１０を取り外す場合、鏡筒ユニット１の全ての部品を組み立て工程の逆の工程を辿って分解しなくとも、回動規制部材２６を取り外すだけで１群レンズホルダ１０を取り外すことができる。
【００４１】
（第２の実施形態）
次に、第２の実施形態に係る撮像装置について図７を参照して説明する。
第２の実施形態では、鏡筒ユニット１の回動規制部材としてフォトインタラプタを使用する場合について説明する。鏡筒ユニット１の構成および組立は第１の実施形態と同様であるためその説明を省略する。
【００４２】
駆動環２１と駆動環２１の回動を規制するフォトインタラプタ２８との関係を図７を参照して説明する。図７は、説明を簡略化させるために、駆動環２１、フォトインタラプタ２８のみを図示し、他の部品を省略している。図７（ａ１）、（ａ２）は、鏡筒ユニット１が広角位置の状態であって、駆動環２１を撮像面側から見た斜視図、背面図である。図７（ｂ１）、（ｂ２）は、鏡筒ユニット１が望遠位置の状態であって、駆動環２１を撮像面側から見た斜視図、背面図である。
【００４３】
本実施形態の駆動環２１には、円弧形状であって薄板状の突起部２１ｅが撮像面側端部の一部に形成されている。一方、フォトインタラプタ２８は対向する発光部と受光部とにより略コ字状に形成されている。フォトインタラプタ２８の発光部と受光部との間に形成されるスリットは、駆動環２１の突起部２１ｅが通過可能である。フォトインタラプタ２８は、スリットを通過する突起部２１ｅを検知することで、駆動環２１の回動位置を検出する。撮像装置１００は、突起部２１ｅがフォトインタラプタ２８に入り込んで信号が暗になっている状態から駆動環２１が回動することで突起部２１ｅから完全に退避して信号が明になる切り換わりのタイミングをカウントの基準として、鏡筒ユニット１を制御する。
【００４４】
図７（ａ１）、（ａ２）に示す広角位置ではフォトインタラプタ２８と駆動環２１の係止部２１ｃとの間にはクリアランスがある。したがって、駆動環２１が広角位置から更に繰り込み方向に回動し係止部２１ｃがフォトインタラプタ２８の端部２８ａに当接することで、駆動環２１の回動が規制される。
図７（ｂ１）、（ｂ２）に示す望遠位置でも同様に、フォトインタラプタ２８と駆動環２１の係止部２１ｄとの間にはクリアランスがある。したがって、駆動環２１が望遠位置から更に繰り出し方向に回動し係止部２１ｄがフォトインタラプタ２８の端部２８ｂに当接することで、駆動環２１の回動が規制される。
【００４５】
このように、本実施形態では、フォトインタラプタ２８、具体的にはフォトインタラプタ２８の駆動環２１の突起部２１ｅが通過する方向の両端部２８ａ、２８ｂを広角位置から繰り込み方向および望遠位置から繰り出し方向への回動規制部材として用いている。通常、フォトインタラプタ２８は鏡筒ユニット１に這い回されるフレキシブル基板に実装されており、鏡筒ユニット１の組立の順番としては最後に取り付けられる。したがって、フォトインタラプタ２８を取り付けるまでは組み込み位相である超広角位置と超望遠位置まで駆動環２１が回動することが可能であり、部品の組立あるいは分解を自由に行える。一方、撮像装置１００が組立られた状態から修理などにより１群レンズホルダ１０を取り外す必要性がある場合、第１の実施形態と同様に、まず、背面カバーユニット６と表示部材７を順に取り外す。次に、フォトインタラプタ２８を取り外して、鏡筒ユニット１を超望遠位置に繰り出すことで１群レンズホルダ１０だけを取り外すことができる。
【００４６】
本実施形態では、回動規制部材２６あるいはフォトインタラプタ２８を撮像素子ホルダ２３に取り付ける場合について説明した。しかしながら、鏡筒ユニット１が組立てられた状態で撮像面側からの取り付けが可能ならば撮像素子ホルダ２３に貫通穴をあけて固定カム環１６にフォトインタラプタ２８を直接保持してもよい。
【００４７】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４８】
１：鏡筒ユニット  ４：前面カバーユニット  ５：側面カバー  ６：背面カバーユニット  ８：保持部  ９：鏡筒部  １０：１群レンズ保持体  １６：固定カム環  １６ｂ：カム  １６ｃ：カム穴  ２０：移動カム環  ２０ａ：カムフォロワー  ２０ｆ：駆動ピン  ２１：駆動環  ２６：回動規制部材  ２８：フォトインタラプタ  １００：撮像装置
【図１】
2012255887.tif 000003
【図２】
2012255887.tif 000004
【図３】
2012255887.tif 000005
【図４】
2012255887.tif 000006
【図５】
2012255887.tif 000007
【図６】
2012255887.tif 000008
【図７】
2012255887.tif 000009